(57)【要約】【課題】  薄鉄板補強材と縦枠との接触をなくして薄鉄板補強材の存在による石膏ボードの浮上りを効果的に抑制でき、且つ薄鉄板補強材と堅胴縁との係合によって薄鉄板補強材の位置固定を容易ならしめて製造面の簡略化をも図った壁パネルを提供する。【解決手段】  垂直方向に延びる堅胴縁６を枠材間に有し、当該枠材に石膏ボード４を貼着した壁パネル１において、枠材を構成する左右の縦枠３間にて堅胴縁６を越えて水平方向に延びる帯板状の薄鉄板補強材５を、その左右端部が縦枠３に接しないようにして、且つその上下端部に設けられた係合部５１が堅胴縁６に係合するようにして設ける。【選択図】図１
2006152548.tif 000002
【特許請求の範囲】
【請求項１】
垂直方向に延びる堅胴縁を枠材間に有し、当該枠材に石膏ボードを貼着した壁パネルであって、枠材を構成する左右の縦枠間にて堅胴縁を越えて水平方向に延びる帯板状の薄鉄板補強材が、その左右端部が縦枠に接しないようにして、且つその上下端部に設けられた係合部が堅胴縁に係合するようにして設けられていることを特徴とする壁パネル。
【請求項２】
薄鉄板補強材は、その上横辺および下横辺のいずれか一方または両方を折り曲げた補強部を有しており、この補強部が対面の石膏ボード裏面に当接されていることを特徴とする請求項１記載の壁パネル。
【請求項３】
薄鉄板補強材の係合部は、薄鉄板補強材を切削加工により切り出して形成されたものであることを特徴とする請求項１記載の壁パネル。
【請求項４】
薄鉄板補強材の補強部は、薄鉄板補強材を切削加工により切り出して形成されたものであることを特徴とする請求項２記載の壁パネル。
【発明の詳細な説明】
【技術分野】
【０００１】
本願発明は、枠材に石膏ボードを貼着して構成されるパネル体内に補強材を設けた壁パネルに関するものである。
【背景技術】
【０００２】
集合住宅向けの壁パネル、特に高層マンションなどに多用される壁パネルは、コスト削減と機能強化とを満足させる必要があり、現場対応型の壁パネルにおいても、工場出荷段階で現場に合わせた構成にしておき、現場での施工時間を短縮することが必要である。
【０００３】
この観点から、従来、壁パネルを、枠材の両面または片面に石膏ボードを貼着して構成し、これにおいて左右の縦枠間に延びた水平方向の補強材を設けることが知られている。
【０００４】
たとえば下記特許文献１は、浴室を一実施例とするユニットルームの壁パネルについてのものであって、縦枠の記載はないものの、帯板状の補強材を、化粧板等の表面材を裏打ちする石膏ボード等の裏打ち材に取り付けることが記載されている。
【０００５】
また、たとえば下記特許文献２は、壁パネルに関するものではないものの、建築内装用の壁や間仕切り用の壁において帯状鋼板からなる補強金具を設けることが記載されている。
【特許文献１】特開平８−４２０５６号公報
【特許文献２】特開平７−３００９２４号公報
【発明の開示】
【発明が解決しようとする課題】
【０００６】
しかしながら、枠材に石膏ボードを貼着した壁パネルにおいては、補強材、特に薄鉄板からなる補強材が壁パネルの端部分にまで設けられていると、その端部分において石膏ボードが浮き上がり、隣接する壁パネルとの間で段差が生じてしまう恐れがある。
【０００７】
また、枠材を構成する上下の横枠間にて垂直方向に延びた堅胴縁をも設けておくことを考えた場合では、水平方向の補強材は垂直方向の堅胴縁と途中で交わることになるので、補強材と堅胴縁との関わり合いを製造面等の観点から考慮しておくことが好ましいとも言える。
【０００８】
そこで、以上のとおりの事情に鑑み、本願発明は、垂直方向に延びる堅胴縁を枠材間に有し、当該枠材に石膏ボードを貼着した壁パネルにて、左右の縦枠間に水平方向に延びる薄鉄板補強材を設ける場合において、上述した点を改善することのできる壁パネルを提供することを課題としている。
【課題を解決するための手段】
【０００９】
本願発明は、上記の課題を解決するものとして、第１には、垂直方向に延びる堅胴縁を枠材間に有し、当該枠材に石膏ボードを貼着した壁パネルであって、枠材を構成する左右の縦枠間にて堅胴縁を越えて水平方向に延びる帯板状の薄鉄板補強材が、その左右端部が縦枠に接しないようにして、且つその上下端部に設けられた係合部が堅胴縁に係合するようにして設けられていることを特徴とする。
【００１０】
第２には、前記薄鉄板補強材は、その上横辺および下横辺のいずれか一方または両方を折り曲げた補強部を有しており、この補強部が対面の石膏ボード裏面に当接されていることを特徴とする。
【００１１】
第３には、前記薄鉄板補強材の係合部は、薄鉄板補強材を切削加工により切り出して形成されたものであることを特徴とする。
【００１２】
第４には、前記薄鉄板補強材の補強部は、薄鉄板補強材を切削加工により切り出して形成されたものであることを特徴とする請求項２記載の壁パネル。
【発明の効果】
【００１３】
上記のとおりの特徴を有する第１の発明では、壁パネルの端部分における取り合いを考慮し、少なくとも壁パネルの枠材を構成する縦枠に端部が接しないように薄鉄板補強材を設けることで、縦枠が位置する壁パネルの端部分を除くと薄鉄板補強材の膨らみは壁パネル全体で平均化されて目立たなくなり、よって隣接する壁パネルとの間つまりパネル目地部分で段差が生じることを防ぐことができる。すなわち、薄鉄板補強材なしの壁パネルと薄鉄板補強材付きの本願発明の壁パネルが互いに隣接する場合において、薄鉄板補強材なしの壁パネルに接する縦枠部分に薄鉄板補強材がかからず、この部分での脹らみが防止されるので、直接隣接壁パネルとの取り合いにおいて段差が目立ちやすいこの部分での段差発生を防ぐことができるのである。そしてさらに、水平方向の薄鉄板補強材と横方向の堅胴縁とが交わる部分において、薄鉄板補強材に設けた係合部を介して互いに係合させることで、薄鉄板補強材を、上記のとおりに縦枠に接しない状態を確保しながらも、堅胴縁において位置固定し易くなり、製造面の簡略化をも図ることができる。したがって、コスト削減・機能強化・製造簡略化を満足させ且つ外観・意匠上も優れた壁パネルを実現できるようになる。
【００１４】
また、上記第２の発明のように、薄鉄板補強材自体の強度をさらに向上させるべく、上記のとおりの補強部を設け、それを石膏ボード裏面に当接させることで、石膏ボードに力を預ける構造を実現することもできる。
【００１５】
これら薄鉄板補強材の係合部および補強部については、上記第３や上記第４の発明のように、薄鉄板補強材の適宜部分を切削加工により切り出して形成することが好ましく、これにより薄鉄板補強材と一体化したものとすることで、係合強度の向上や部品点数およびコストの削減をも図ることができる。
【発明を実施するための最良の形態】
【００１６】
［第一の実施形態］
図１および図２は本願発明の一実施形態を示したものである。
【００１７】
この実施形態における壁パネル１は、上下の横枠２と左右の縦枠３とで構成される枠材の両面または片面に表面材としての石膏ボード４が貼着されており、且つ、横枠２間にて垂直方向に延びた堅胴縁６と、縦枠３間にて堅胴縁６を超えてほぼいっぱいに水平方向に延びた帯板状の薄鉄板補強材５（補強下地材とも呼べる）とが設けられている。
【００１８】
そして、薄鉄板補強材５は、左右端部が各縦枠３に接しないようにその内側面の近傍に位置されており、且つ、堅胴縁６を超える位置（堅胴縁６と交わる位置とも呼べる）の上下端部を切削加工により切り出して形成された係合部５１が堅胴縁６の側面に係合されている。
【００１９】
この係合部５１については、たとえば、図示したように斜めに加工した切り欠きにて堅胴縁６に沿うように上下端部を折り曲げて係合部５１とし、これを堅胴縁６の両側面に当接させる。これにより、係合部５１が堅胴縁６を挟持する状態となり、しっかりとした薄鉄板補強材５の位置固定が実現される。
【００２０】
後は、石膏ボード４が、横枠２および縦枠３に対してその周端部裏面が当接固定されて、貼着される。
【００２１】
これにより、左右縦枠３間に設けられた薄鉄板補強材５はその端部が縦枠３にかからなくなるので、壁パネル１を並設させた場合において隣接目地部分における薄鉄板補強材５の存在に起因した石膏ボード４同士の段差は生じなくなり、たとえば表面にクロスを貼るなどしても、目地部分が目立たないのはもちろんのこと、壁パネル１全体でも薄鉄板補強材５の膨らみが平均化されて目立たないので、外観性・意匠性の優れた化粧仕上げを実現できる。そしてこれとともに、薄鉄板補強材５と堅胴縁６との関わり合いにおいて、係合部５１を介した係合によって薄鉄板補強材５の位置固定が容易に実現され、製造面の簡略化をも図られるようになる。
【００２２】
なお、上記壁パネル１において、薄鉄板補強材５としては、厚さ０．５〜１．２ｍｍ程度の薄鉄板を帯状にしたものを用いることができ、その撓みを防ぐために石膏ボード４の裏面に当接され、且つ金属―石膏接着剤を用いて接着されていることが好ましい。
【００２３】
ただし、石膏ボード４に当接接着されていなくても、たとえば、縦枠３の内側面に受桟としての桟材８（図２参照）を設け、これに薄鉄板補強材５の端部を接着や釘打ち等により固定することで、ある程度の撓み防止を図ることもできる。この場合では、薄鉄板補強材５と石膏ボード４との間に隙間があいていても、補強材としての機能は十分に発揮する。
【００２４】
この桟材８としては、たとえば、薄鉄板補強材５の厚み分だけ薄くしたものを用い、薄鉄板補強材５の表面とそれと接しないが直ぐ隣に位置する縦枠３の表面とが面一になるようにすることも好ましい形態である。これにより、桟材８で薄鉄板補強材５の端部を支持した場合においても、薄鉄板補強材５の左右端部が縦枠３に接しない状態で、且つその厚み分が桟材８にて吸収されることになるので、縦枠３部分での薄鉄板補強材５の存在に起因した脹らみがなくなり、隣接壁パネルとの取り合いにおいて段差の発生をより確実に防ぐことができる。
【００２５】
このことは、たとえば図３に例示したように、特に薄鉄板補強材５付きの壁パネル１と薄鉄板補強材５なしの壁パネル１０とを並設させる場合に有用である。同じ枠材を使い、一方は薄鉄板補強材５を設け、他方は設けないとしても、隣接目地部分にて段差が生じることがないためである。この図３の例では、隣接する縦枠３同士を接合アダプター９を用いて接合させている。また、縦枠３の内側面に設けられた桟材８としては、縦枠３と同じ厚さのものが用いられており、枠材との材料共通化が図られている。この場合においては、桟材８に支持固定される薄鉄板補強材５の表面と縦枠３の表面とを面一にさせる必要があるため、桟材８を薄鉄板補強材５の厚み分だけ段落ちさせている。すなわち、縦枠３と同じ断面矩形状の材料の桟材８（縦枠３用の材料を短く切断したものなど）を、縦枠３とは異なる向き、つまり桟材８の断面短手面を縦枠３の断面長手面に当接させた向きとし、且つそれに固定される薄鉄板補強材５の厚み分だけ壁パネル１内方にずらした位置としているのである。これにより、薄鉄板補強材５と縦枠３とが面一になり、且つその縦枠３を含む枠材に固定される石膏ボード４は、隣接する他の壁パネル１０の石膏ボード４と面一となり、段差のない良好な壁パネル１，１０の並設施工が実現されることとなる。
【００２６】
［第二の実施形態］
図４〜図６は、本願発明の別の一実施形態を示したものである。
【００２７】
この実施形態における壁パネル１では、上記のとおりの薄鉄板補強材５について、さらに補強部５２を設けたものとなっている。
【００２８】
より具体的には、補強部５２は、薄鉄板補強材５の上横辺および下横辺の両方を上記係合部５１を除いた部分にて壁パネル１の内方に折り曲げて形成されており、さらにその先端部が対向する石膏ボード４の裏面に当接させられている（図６参照）。
【００２９】
これにより、補強部５２と石膏ボード４との当接部分において石膏ボード４に力を預ける構造を実現でき、薄鉄板補強材５の側端部がたわんだり、曲がったりするのを防ぐことができる。
【００３０】
［第三の実施形態］
図７および図８は、本願発明のさらに別の一実施形態を示したものである。
【００３１】
この実施形態における壁パネル１では、上記のとおりの薄鉄板補強材５の補強部５２について、その先端部をさらに折り曲げて石膏ボード４裏面との当接面を増やしたものとなっている。
【００３２】
より具体的には、補強部５２は、薄鉄板補強材５の上横辺および下横辺の両方を上記係合部５１を除いた部分にて壁パネル１の内方に２回以上（図７，図８では２回）折り曲げて形成されており、その形成された面部分が石膏ボード４裏面に当接させられている（図８参照）。
【００３３】
これにより、補強部５２と石膏ボード４との当接面積が増えて、壁パネル１の組立後やや施工後において石膏ボード４表面から外部の力が加わった場合でも、内部の薄鉄板補強材５がたわんだり、曲がったりするのを効果的に防ぐことができる。
【００３４】
［第四の実施形態］
上記薄鉄板補強材５の係合部５１および補強部５２については、たとえば図９に例示したものなども含めて様々な形態が可能であることは言うまでもない。
【００３５】
図９の実施形態では、係合部５１を形成する上下端部の切り欠きが直角形状に加工されており、四角い板片の係合部５１となっている。上述の図１〜図８では斜め加工の切り欠きによる三角板片の係合部５１となっている。
【００３６】
［第五の実施形態］
なお、以上の壁パネル１については、たとえば図１０に例示したように、その内部に電線７等を通線させることも考えられるが、この場合において、上下方向に通線させるときには（図１０では横枠２の適宜位置に設けられた通線用孔２１を通す）、薄鉄板補強材５に引っ掛かってしまうのを防ぐために、上横辺にて補強部５２を部分的に設け、上横辺のそれ以外の部分を壁パネル１の内方且つ下方に折り曲げて折曲げ部５３を形成させることが好ましい。これにより、縦方向に延びる電線７を薄鉄板補強材５の上端に引っ掛からないように通線でき、良好な通線形態が確保される。
【図面の簡単な説明】
【００３７】
【図１】本願発明の一実施形態を示した斜視図。
【図２】図１の実施形態の斜視図。
【図３】本願発明の施工例についての説明するための図。
【図４】本願発明の別の一実施形態を示した斜視図。
【図５】図４の実施形態の斜視図。
【図６】図４の実施形態のＡ−Ａ線断面図。
【図７】本願発明のさらに別の一実施形態を示した斜視図。
【図８】図７の実施形態のＢ−Ｂ線断面図。
【図９】本願発明における薄鉄板補強材の別の形態を例示した正面図。
【図１０】本願発明のまたさらに別の一実施形態を示した斜視図。
【符号の説明】
【００３８】
１  壁パネル
２  横枠
２１  通線用孔
３  縦枠
４  石膏ボード
５  薄鉄板補強材
５１  係合部
５２  補強部
５３  折曲げ部
６  堅胴縁
７  電線
８  桟材
９  接合アダプター
１０  壁パネル
【図１】
2006152548.tif 000003
【図２】
2006152548.tif 000004
【図３】
2006152548.tif 000005
【図４】
2006152548.tif 000006
【図５】
2006152548.tif 000007
【図６】
2006152548.tif 000008
【図７】
2006152548.tif 000009
【図８】
2006152548.tif 000010
【図９】
2006152548.tif 000011
【図１０】
2006152548.tif 000012